(57)【要約】【課題】安価な構成で非点収差を低減することができる光ピックアップ装置を提供する。【解決手段】光ピックアップ装置は、光源と、光源からの光を所定角度に反射させるミラー面を有する板状の反射ミラーと、反射した光をメディアに集光する対物レンズと、反射ミラーの側面及び底面に対向する壁部を備え反射ミラーを保持する保持部と、接着剤により構成され、ミラー面に斜め方向の歪みを生じさせるよう反射ミラーと前記保持部の壁部との間を接着する接着部と、を有する。【選択図】図３
2015106422.tif 000002
【特許請求の範囲】
【請求項１】
光を出射する光源と、
出射された前記光を反射させるミラー面を有する板状の反射ミラーと、
前記反射した光をメディアに集光する対物レンズと、
前記反射ミラーの側面及び底面に対向する壁部を備え、前記反射ミラーを保持する保持部と、
接着剤により構成され、前記ミラー面に斜め方向の歪みを生じさせるよう前記反射ミラーの側面又は底面と前記保持部の壁部との間を接着する接着部と、を有することを特徴とする光ピックアップ装置。
【請求項２】
前記接着部は、前記反射ミラーの第１の側面側に形成された第１接着部と、
前記第１の側面側と反対側の第２の側面側で、前記第１接着部と比べて下方又は上方に形成された第２接着部と、を含むことを特徴とする請求項１に記載の光ピックアップ装置。
【請求項３】
前記第１接着部に用いられる接着剤の硬化後の硬度及びヤング率と、前記第２接着部に用いられる接着剤の硬化後の硬度及びヤング率とは異なる、ことを特徴とする請求項２に記載の光ピックアップ装置。
【請求項４】
前記接着部は、前記第２の側面側で前記第１接着部と同じ高さに位置する第３接着部を含む、ことを特徴とする請求項２から請求項３のいずれか一項に記載の光ピックアップ装置。
【請求項５】
前記保持部は、前記反射ミラーの前記ミラー面と反対側の裏面で点接触している、ことを特徴とする請求項１から請求項４のいずれか一項に記載の光ピックアップ装置。
【発明の詳細な説明】
【技術分野】
【０００１】
本発明は、光源から出射した光を反射させる反射ミラーを備える光ピックアップ装置に関する。
【背景技術】
【０００２】
従来、メディアに光を出射して、メディアからの戻り光（再生光）を情報として読み取る光ピックアップ装置が知られている。この光ピックアップ装置では、光源とメディアとの間に、光路を形成するための光学部品を配置している。光学部品は、光源から出射した光を反射させる反射ミラーや、レンズを備えている。
【０００３】
このような光ピックアップ装置では、メディアに集光する光（以下、スポットとも記載する）の形状が良好であることが必要となる。ところが、光源の特性、光学部品の特性、更には光源と光学部品との位置関係のずれによって、スポットの形状を変化させる非点収差が発生する場合がある。非点収差は、主光線と光軸を含む面にある光でできる像と、この面に直交する面にある光でできる像が、異なる位置にできることで生じる。
【０００４】
特許文献１には、立上げミラー（反射ミラー）のミラー面の形状をアクチュエータを用いて制御することで、スポットの球面収差を減少させることが開示されている。
【０００５】
また、特許文献２には、光源と反射ミラーとの間にミラー面の形状を制御可能な波面収差補正ミラーを配置するものが開示されている。この波面収差補正ミラーは、アクチュエータによりミラー面の形状を変化させることで、スポットに生じるコマ収差を低減させることができる。
【先行技術文献】
【特許文献】
【０００６】
【特許文献１】特開２００５−１９６８４２号公報
【特許文献２】特開２００４−１０９８４３号公報
【発明の概要】
【発明が解決しようとする課題】
【０００７】
引用文献１および引用文献２はいずれも、アクチュエータを用いてミラー面の形状を制御するものであり、アクチュエータを用いる分コストを増加させる。また、引用文献１および引用文献２は、いずれも非点収差に関するものではない。
【０００８】
本発明は、上記課題にかんがみてなされたもので、新たな部品を追加することなく構成で非点収差を制御することができる光ピックアップ装置を提供することを目的とする。
【課題を解決するための手段】
【０００９】
本発明の一態様として、光を出射する光源と、出射された前記光を反射させるミラー面を有する板状の反射ミラーと、前記反射した光をメディアに集光する対物レンズと、前記反射ミラーの側面及び底面に対向する壁部を備え、前記反射ミラーを保持する保持部と、接着剤により構成され、前記ミラー面に斜め方向の歪みを生じさせるよう前記反射ミラーの側面又は底面と前記保持部の壁部との間を接着する接着部と、を有する。
【００１０】
上記のように構成された発明では、反射ミラーの側面又は低面と保持部の壁部との間に注入された接着剤が硬化することで、収縮し、接着部となる。このとき、硬化により生じる応力がミラー面に斜め方向の歪みを生じさせる。斜め方向の歪みが生じたミラー面に光が反射することで、非点収差をオフセットし制御することができる。そのため、アクチュエータ等の新たな部品を用いることなく非点収差を制御することができる。
【００１１】
また、本発明の一態様として、前記接着部は、前記反射ミラーの第１の側面側に形成された第１接着部と、前記第１の側面側と反対側の第２の側面側で、前記第１接着部と比べて下方又は上方に形成された第２接着部と、を含む構成としてもよい。
上記のように構成された発明では、反射ミラーを保持部に接着する第１接着部と第２接着部とが、反射ミラーの不均衡な位置に形成されるため、ミラー面に斜め方向の歪みを生じさせることができる。
【００１２】
そして、本発明の一態様として、前記第１接着部に用いられる接着剤の硬化後の硬度及びヤング率と、前記第２接着部に用いられる接着剤の硬化後の硬度及びヤング率とは異なる、構成としてもよい。
上記のように構成された発明では、反射ミラーを保持部に接着する第１接着部と第２接着部との硬度及びヤング率が異なるため、ミラー面に斜め方向の歪みを生じさせることができる。
【００１３】
また、本発明の一態様として、前記接着部は、前記第２の側面側で前記第１接着部と同じ高さに位置する第３接着部を含む、構成としてもよい。
上記のように構成された発明では、第１接着部と同じ高さに位置する第３接着部により、反射ミラーを保持部に強固に固定することができる。
【００１４】
そして、本発明の一態様として、前記保持部は、前記反射ミラーの前記ミラー面と反対側の裏面で点接触している、構成としてもよい。
上記のように構成された発明では、反射ミラーの裏面が保持部と点接触していることで、ミラー面を歪ませ易くすることができる。
【図面の簡単な説明】
【００１５】
【図１】光ピックアップ装置の外観を示す斜視図である。
【図２】ピックアップベースに収容された各部品を説明する図である。
【図３】ピックアップベースに固定される第１の反射ミラーを示す図である。
【図４】光検出器２２に集光する戻り光（スポット）の形状を示す図である。
【図５】反射ミラーのミラー面の形状と接着剤の位置との関係を示す図である。
【図６】光ピックアップ装置を備えるメディアドライブ装置を示す斜視図である。
【図７】第２の実施形態に係る反射ミラーと接着剤の位置とを示す図である。
【図８】第３の実施形態に係る接着部の位置を示す図である。
【発明を実施するための形態】
【００１６】
以下、下記の順序に従って本発明の実施形態を説明する。
１．第１の実施形態：
（１）光ピックアップ装置の構造
（２）反射ミラーを固定する構造
（３）メディアドライブ装置の構成
２．第２の実施形態：
３．第３の実施形態：
４．その他の実施形態：
【００１７】
１．第１の実施形態：
（１）光ピックアップ装置の構造
図１は、光ピックアップ装置１０の外観を示す斜視図である。また、図２は、ピックアップベース１１に収容された各部品を説明する図である。図２（ａ）は、ピックアップベース１１におけるＹ方向から見た光学部品の位置を示す。また、図２（ｂ）は、ピックアップベースにおけるＸ方向から見た反射ミラーと対物レンズとの位置を示す。
【００１８】
以下の説明では、半導体レーザから照射される光の光路において、上流側をＵＤとし、下流側をＢＤとして区別する。
【００１９】
図１、図２に示すように、光ピックアップ装置１０は、ピックアップベース１１、半導体レーザ２０、２１、光検出器２２、光学部品３０、を備える。
【００２０】
ピックアップベース１１は、半導体レーザ２０、２１、光学部品３０、光検出器２２を収容する凹部である収容空間Ｓ（点線で示す）を有している。収容空間Ｓには、半導体レーザ２０、２１、光学部品３０、光検出器２２を、図２に示した位置関係に対応させて配置している。特に、ピックアップベース１１は、反射ミラー（後述）を所定角度で固定するための保持部（後述）を有している。ピックアップベース１１は、例えば、樹脂により形成されている。
【００２１】
ピックアップベース１１の収容空間Ｓには、波長の異なる２つの半導体レーザ２０、２１が収容されている。第１の半導体レーザ２０は、ＤＶＤ（Digital Versatical Disk）用のレーザ光（例えば波長６５０ｎｍ帯のレーザー光）とＣＤ（Compact Disc）用のレーザ光（例えば波長７８０ｎｍ帯のレーザー光）とをそれぞれ出力することができる。また、第２の半導体レーザ２１は、ＢＤ（Blue-ry Disk 登録商標）用のレーザ光（例えば波長４０５ｎｍ帯のレーザ光）を出射する。
【００２２】
ピックアップベース１１の収容空間Ｓには、光学部品３０が図２に示す位置関係を保って収容されている。光学部品３０は、回折格子３１、偏光ビームスプリッタ３２、１／４波長板３３、コリメートレンズ３４、第１の反射ミラー３５、第２の反射ミラー３６、対物レンズ３７、３８、ビームスプリッタ３９、センサレンズ４０を備える。
【００２３】
図２を用いて、メディアに集光される光の光路を説明する。以下では、メディアとしてＤＶＤを再生する際のレーザ光の光路を説明する。第１の半導体レーザ２０から出射されたレーザ光は、回折格子３１によって主光と副光とに分けられる。回折格子を３１を経たレーザ光はビームスプリッタ３９で反射され、偏光ビームスプリッタ３２、１／４波長板３３及びコリメートレンズ３４を透過する。コリメートレンズ３４を透過したレーザ光は、第１の反射ミラー３５によって所定角度に反射され、第１の対物レンズ３７へと至る。
【００２４】
第１の対物レンズ３７は、入射したレーザ光をメディアＭの情報記録面に集光する。そして、メディアＭに集光したレーザ光は情報記録面で反射し、戻り光と成る。戻り光は第１の対物レンズ３７を通過後、第１の反射ミラー３５により反射される。第１の反射ミラー３５は、図２（ｂ）に示すように、レーザ光の光軸に対してミラー面が傾斜角度θ１に位置するようピックアップベース１１に固定されている。そして、コリメートレンズ３４、１／４波長板３３、偏光ビームスプリッタ３２、ビームスプリッタ３９を順に透過した戻り光は、センサレンズ４０を経て、光検出器２２に集光される。
なお、第２の半導体レーザ２１から出射されたレーザ光の光路については、説明を省略する。
【００２５】
光検出器２２は、集光した光信号を電気信号に変換し、この電気信号を図示しない信号処理部に送信する。信号処理部は、受信した電子信号から、再生信号、フォーカスエラー（ＦＥ）信号、トラッキングエラー（ＴＥ）信号を生成する。こられ、再生信号、ＦＥ信号、ＴＥ信号は、メディアを再生する際に用いられる。
【００２６】
（２）反射ミラーを固定する構造
次に、反射ミラーをピックアップベース１１に固定する構造を説明する。以下の説明では、反射ミラーとして第１の反射ミラー３５を例に説明を行う。図３は、ピックアップベース１１に固定される反射ミラーを示す図である。ここで、図３（ａ）はピックアップベース１１に固定された反射ミラー３５、３６を示す斜視図である。また、図３（ｂ）は、保持部５０を示す斜視図である。
【００２７】
第１の反射ミラー３５は、ミラー面３５ａを矩形状とする薄板形状である。以下、ピックアップベース１１に固定された第１の反射ミラー３５において、ミラー面３５ａを正面とした場合に、ミラー面３５ａと反対側の面を裏面３５ｂ、右側の側面を第１側面３５ｃ、左側の側面を第２側面３５ｄ、底面３５ｅとして記載する。
【００２８】
第１の反射ミラー３５、の厚みは、０．５ミリメートル（ｍｍ）から３．０ミリメートル（ｍｍ）のものを採用することができる。また、第１の反射ミラー３５の硬度は、４００キログラム・平方メートル（ｋｇ／ｍｍ2）から７００キログラム・平方メートル（ｋｇ／ｍｍ2）のものを採用することができる。さらに、第１の反射ミラー３５のヤング率は、６５ギガパスカル（ＧＰａ）から９０ギガパスカル（ＧＰａ）のものを採用することができる。
【００２９】
また、図３（ｂ）に示すように、ピックアップベース１１の収容空間Ｓには、第１の反射ミラー３５を固定するための保持部（第１の保持部５１、第２の保持部５６）が形成されている。第１の保持部５１は第１の反射ミラー３５を図２に示すレーザ光の光路に対応させて固定する。また、第２の保持部５６は、第２の反射ミラー３６を図２に示すレーザ光の光路に対応させて固定する。
【００３０】
第１の保持部５１は、ベース部５２と、第１の側壁５３と、第２の側壁５４と、受け部５５とを有する。この第１の実施形態では、ベース部５２と、第１の側壁５３と、第２の側壁５４と、受け部５５とは、一体成形されているが、これに限定されない。
【００３１】
ベース部５２は、ピックアップベース１１の収容空間Ｓに一体で形成されている。ベース部５２は、ピックアップベース１１の底面を基準として所定角度を伴う斜面５２ａを有している。また、斜面５２ａの上方と下方には、斜面５２ａから外に突出する設置部５２ｂ、５２ｃ、５２ｄを有している。また、設置部５２ｂ、５２ｃ、５２ｄのピックアップベース１１の底面を基準とする傾斜角度はミラー面３５ａの傾き角度θ１に対応している。そのため、ベース部５２に載置された第１の反射ミラー３５のミラー面３５ａは、レーザ光の光軸に対して傾き角度θ１を保持する。
【００３２】
ベース部５２の両側部には、第１の側壁５３と、第２の側壁５４とが形成されている。第１の側壁５３と、第２の側壁５４とは、ベース部５２の斜面５２ａの両端から上方に延設する薄板形状の部位である。また、第１の側壁５３と、第２の側壁５４とには、一部が切り欠かれた形状の切り欠き部５３ａ、５４ａとを備える。切り欠き部５３ａ、５４ａにより、第１の保持部５１に保持される第１の反射ミラー３５の側面（第１側面３５ｃ、第２側面３５ｄ）を露出させることができる。そして、第１の側壁５３と第２の側壁５４との間の隙間は、第１の反射ミラー３５の幅と比べて若干広くなっている。
【００３３】
ベース部５２の上流側ＵＤには、第１の反射ミラー３５の底面を受ける受け部５５が形成されている。受け部５５は、ベース部５２に載置される第１の反射ミラー３５の下方側の形状に応じた斜面５５ａを有している。即ち、第１の保持部５１に配置される第１の反射ミラー３５の底面３５ｅは、受け部５５の斜面５５ａに下方側から支持される。
【００３４】
第１の反射ミラー３５は、底面ｅを受け部５５により支持され、裏面３５ｂをベース部５２の設置部５２ｂ、５２ｃ、５２ｄの頂点と点接触することで、ミラー面３５ａの反射角度がθ１に位置決めされる。そのため、第１の反射ミラー３５の裏面３５ｂと斜面５２ａとの間には空間が形成されている。この状態で、第１の反射ミラー３５と、第１の側壁５３、第２の側壁５４、及び受け部５５との隙間に接着剤を塗布することで、第１の反射ミラー３５と、第１の保持部５１とを固定する。
ここで、第１の反射ミラー３５の裏面３５ｂと斜面５２ａとの間に空間が形成されることで、第１の反射ミラー３５を歪み易くすることができる。
【００３５】
また、第１の保持部５１の下流ＢＤには、第２の保持部５６が形成されている。この第２の保持部５６は、第２の反射ミラー３６を図２に示す光路に応じて配置する。なお、第２の保持部５６の形状は、第１の保持部５１と同じであるため、その説明は省略する。
【００３６】
図４は、光検出器２２に集光する戻り光（スポット）の形状を示す図である。図４（ａ）は、非点収差が生じている場合のスポットの形状と反射ミラーとの関係を示す。図４（ｂ）は、理想とするスポットの形状と反射ミラーとの関係を示す。
【００３７】
レーザ光に非点収差が生じている場合、波面の形状が理想とする形状とはならない。図４（ａ）では一例として、スポット（波面）の形状は、ａ方向の半径が、ｂ方向の半径と比べて大きい楕円形となっている。即ち、レーザ光には非点収差が生じている。このような場合、ミラー面３５ａに歪みを生じさせることで、非点収差を低減（制御）することができる。
【００３８】
図４（ｂ）では、ミラー面３５ａに斜め方向の歪み３０１を生じさせることで、非点収差を低減させている。以下、説明を容易にするため、図では斜め方向の歪みを線分により現している。そのため、図４（ａ）と比べて、スポット形状が理想とする形状（円）に近くなっている。そこで、本発明は、接着剤を塗布する部位に応じてミラー面３５ａに歪みを生じさせることで、スポットの非点収差を狙い値に近づけている。
【００３９】
図５は、第１の反射ミラー３５のミラー面３５ａの形状と接着剤の位置との関係を示す図である。以下、塗布された接着剤が硬化することで、保持部と反射ミラーとを固定する部位を、接着部と記載する。図５に示す第１の反射ミラー３５は、第１接着部６１と、第２接着部６２と、第３接着部６３と、で第１の保持部５１に固定されている。この第１の実施形態では、第１接着部６１と第２接着部６２とにより、ミラー面３５ａに斜め方向の歪み３０１を発生させている。
【００４０】
第１接着部６１は、第１の反射ミラー３５の第１側面３５ｃに位置している。例えば、第１接着部６１は、第１の反射ミラー３５において上下方向Ｄ１の中点に位置している。
また、第２接着部６２は、第１の反射ミラー３５の第１側面３５ｃと反対側（第２側面３５ｄ側）であって、第１接着部６１と比べて下方に形成されている。図５では、第２接着部６２は、第２側面３５ｄの下方と底面３５ｅの第２側面３５ｄ側にＬ字状に連続して形成されている。即ち、図５では、第１接着部６１と第２接着部６２とは、形成される位置が不均衡となっている。
【００４１】
さらに、第３接着部６３は、第１側面３５ｃと反対側で、第１接着部６１と同じ高さに形成されている。即ち、第３接着部６３は第１接着部６１と対象の位置に形成されている。第３接着部６３を形成することで、第１の反射ミラー３５を保持部５１に強固に固定することができる。第１接着部６１と第２接着部６２により第１の反射ミラー３５を保持部５０に固定できる場合は、第３接着部６３を形成しなくともよい。
【００４２】
この第１の実施形態では、第１接着部６１、第２接着部６２、第３接着部６３を形成する接着剤として、ヤング率が４００ＭＰａ以上、硬度がＤ８０（デュロメータ硬さ  Ｄ型）以上、更には粘度が２０Ｐａ・ｓ（パスカル・秒）以上のものを使用する。また、第１の実施形態では、接着剤を同じ量だけ塗布して第１接着部６１、第２接着部６２、第３接着部６３を形成している。無論、接着剤の塗布量は、狙いとする歪みが生じるものであれば、同じ塗布量でなくともよい。
【００４３】
次に、第１接着部６１、第２接着部６２と第１の反射ミラー３５のミラー面３５ａに形成される歪み３０１との関係を説明する。
【００４４】
まず、第１の反射ミラー３５と第１の保持部５１の壁面（第１の側壁５３、第２の側壁５４、受け部５５）との隙間に接着剤を塗布し、硬化前の第１接着部６１、第２接着部６２、第３接着部６３である前駆体を形成する。そして、前駆体が硬化の過程で収縮し応力を生じさせる。このとき、前駆体の応力が第１の反射ミラー３５に生じる。また、第１接着部６１と第２接着部６２とは第１の反射ミラー３５上で不均衡に位置しているため、硬化による応力の合成がミラー面３５ａに対して斜め方向の歪みを生じさせるよう作用する。
【００４５】
例えば、第１の保持部５１の第１の側壁５３および第２の側壁５４の切り欠き部５３ａ、５３ｂの位置を、接着剤を塗布する位置に応じて形成してもよい。上記構成により、作業者は、接着剤を塗布する位置を確認し易くすることができる。
【００４６】
ミラー面３５ａに生じた斜め方向の歪みにより、このミラー面３５ａでレーザ光が反射された場合、非点収差が低減（制御）される。その結果、光ピックアップ装置１０におけるレーザ光の非点収差を狙い値に近づけることができる。また、アクチュエータを用いることなく非点収差を低減することができ、製品のコストアップを抑制することができる。そして、第１の反射ミラー３５の裏面３５ｂが設置部５２ｂ、５２ｃ、５２ｄの頂点と点接触しており斜面５２ａとの間に空間が形成されているため、第１の反射ミラー３５を歪み易くすることができる。
【００４７】
（３）メディアドライブ装置の構成 
図６は、光ピックアップ装置１０を備えるメディアドライブ装置１００を示す斜視図である。メディアドライブ装置１００は、ユニットシャーシ９０、ドライブユニット８０と、を備える。ドライブユニット８０は、本実施形態に示す光ピックアップ装置１０を備えている。
メディアドライブ装置１００では、まず、メディアがセットされたトレー７０をユニットシャーシ９０に引き込むと、ドライブユニット８０のターンテーブル８２とユニットシャーシ９０に備えられたクランパ９２とでメディアを挟みこみ保持する。そして、光ピックアップ装置１０が収容されたメディアの情報を読み取り、読み取った情報をケーブルを通じて出力する。
【００４８】
本発明の光ピックアップ装置１０をメディアドライブ装置１００に適用することで、光信号の収差を低減することができる。その結果、再生信号の品質を高めることができる。また、アクチュエータを用いることなく非点収差を低減することができ、メディアドライブ装置１００のコストアップを抑制することができる。
【００４９】
２．第２の実施形態：
この第２の実施形態では、第１接着部６１を形成する接着剤の物性（硬度、ヤング率）と、第２接着部６２を形成する接着剤の物性とが異なる。
【００５０】
図７は、第２の実施形態に係る反射ミラーと接着剤の位置とを示す図である。
この第２の実施形態では、第１接着部６１及び第３接着部６３を形成する接着剤Ｃ１として、ヤング率が４００ＭＰａ以上、硬度がＤ８０（デュロメータ硬さ  Ｄ型）以上、更には粘度が２０Ｐａ・ｓ（パスカル・秒）以上のものを使用する。また、第２接着部６２を形成する接着剤Ｃ２として、ヤング率が５０ＭＰａから２００ＭＰａ、硬度がＤ４０からＤ８０（デュロメータ硬さ  Ｄ型）、更には粘度が２０Ｐａ・ｓ（パスカル・秒）以上のものを使用している。そのため、接着部６１〜６３が形成される第１の反射ミラー３５上での位置に加えて、硬化後の接着部６１〜６３の物性によって、ミラー面３５ａに形成される歪みがコントロールされる。
【００５１】
第２の実施形態では、第１の実施形態同様、第３接着部６３を形成しなくともよい。また、狙いとするミラー面３５ａの歪みの向きや大きさに応じて、第１接着部６１及び第３接着部６３を接着剤Ｃ２により形成し、第２接着部６２を接着剤Ｃ１により形成してもよい。
【００５２】
また、この第２の実施形態では、第１側面３５ｃ側で第２接着部６２と同じ高さに位置する第４接着部を形成してもよい。この第４接着部を形成する接着剤の物性は、第２接着部６２を形成する接着剤と同じであることが望ましい。このような構成とすることで、ミラー面３５ａに斜め方向の歪みを形成することができ、且つ、第１の反射ミラー３５を保持部５１に強固に固定することが可能となる。
【００５３】
３．第３の実施形態：
反射ミラーに斜め方向の歪みを生じさせる接着部の位置は、第１および第２の実施形態で示したもの以外にも様々な位置が存在する。図８は、第３の実施形態に係る接着部の位置を示す図である。
【００５４】
図８（ａ）では、第１接着部６１は第１側面３５ｃ側に１点形成され、第２接着部６２は底面３５ｅ側の左右２点に形成されている。そのため、ミラー面３５ａには、斜め方向の歪みが形成される。
【００５５】
図８（ｂ）では、第１接着部６１は第１側面３５ｃ側に１点形成され、第２接着部６２は第２側面３５ｄの下側に１点に形成されている。そのため、ミラー面３５ａには、斜め方向の歪みが形成されている。
【００５６】
図８（ｃ）では、第１接着部６１は第１側面３５ｃの中心に１点形成され、第２接着部６２は第２側面３５ｄの底面側に１点に形成されている。更に、図８（ｃ）では、第１側面３５ｃの上部に接着部６４が形成されている。そのため、ミラー面３５ａには、斜め方向の歪みが形成されている。
【００５７】
４．その他の実施形態：
本発明は様々な実施形態が存在する。
第１から第３の接着部６１〜６３を形成する接着剤の量を、ミラー面３５ａに形成する歪みの形状に応じて調整してもよい。
また、光ピックアップ装置１０が２種類の半導体レーザを用いることは一例に過ぎず、所定のメディア用の半導体レーザを１つ有するものであってもよい。
【００５８】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００５９】
１０…光ピックアップ装置、１１…ピックアップベース、２０…第１の半導体レーザ、２１…第２の半導体レーザ、２２…光検出器、３０…光学部品、３１…回折格子、３２…偏光ビームスプリッタ、３３…１／４波長板、３４…コリメートレンズ、３５…第１の反射ミラー、３５ａ…ミラー面、３５ｂ…裏面、３５ｃ…第１側面、３５ｄ…第２側面、３５ｅ…底面、３６…第２の反射ミラー、３７…第１の対物レンズ、３８…第２の対物レンズ、３９…ビームスプリッタ、４０…センサレンズ、５１…第１の保持部、５２…ベース部、５２ａ…斜面、５２ｂ、５２ｃ、５２ｄ…設置部、５３…第１の側壁、５４…第２の側壁、５５…受け部、５５ａ…斜面、５６…第２の保持部、６１…第１接着部、６２…第２接着部、６３…第３接着部、７０…トレー、８０…ドライブユニット、８２…ターンテーブル、９０…ユニットシャーシ、９２…クランパ、１００…メディアドライブ装置
【図１】
2015106422.tif 000003
【図２】
2015106422.tif 000004
【図３】
2015106422.tif 000005
【図４】
2015106422.tif 000006
【図５】
2015106422.tif 000007
【図６】
2015106422.tif 000008
【図７】
2015106422.tif 000009
【図８】
2015106422.tif 000010